【手続補正書】
【提出日】平成21年11月4日(2009.11.4)
【手続補正１】
【補正対象書類名】特許請求の範囲
【補正対象項目名】全文
【補正方法】変更
【補正の内容】
【特許請求の範囲】
【請求項１】
補正レンズを保持する移動枠と、
前記移動枠に接触する球面部を有する少なくとも３つの球面ガイドを介して前記移動枠を移動可能に支持する支持枠と、
相対的に移動可能とされたコイルとマグネットを有し、前記移動枠をレンズ系の光軸と直交する第１の方向及び当該第１の方向と直交する方向であって前記光軸とも直交する第２の方向に移動させる電動アクチュエータと、
前記補正レンズを中心として対称をなす位置に配置され、前記補正レンズの前記第１の方向に関する位置情報を前記マグネットの磁力により検出してその検出信号を出力する２つの第１のホール素子と、
前記補正レンズを中心として対称をなす位置に配置され、前記補正レンズの前記第２の方向に関する位置情報を前記マグネットの磁力により検出してその検出信号を出力する２つの第２のホール素子と、を備えたことを特徴とする像ぶれ補正装置。
【請求項２】
前記球面ガイドは、前記移動枠と前記支持枠の間で転動自在な球体であることを特徴とする請求項１記載の像ぶれ補正装置。
【請求項３】
前記電動アクチュエータは、前記移動枠を前記第１の方向に移動させる第１の電動アクチュエータと、前記移動枠を前記第２の方向に移動させる第２の電動アクチュエータからなることを特徴とする請求項１記載の像ぶれ補正装置。
【請求項４】
前記第１の電動アクチュエータを２つ設け、当該２つの第１の電動アクチュエータを、前記補正レンズを中心として対称をなす位置に配置し、
前記第２の電動アクチュエータを２つ設け、当該２つの第２の電動アクチュエータを、前記補正レンズを中心として対称をなす位置に配置したことを特徴とする請求項３記載の像ぶれ補正装置。
【請求項５】
前記２つの第１のホール素子を、前記２つの第１の電動アクチュエータの２つのマグネットにそれぞれ対応させて配置し、
前記２つの第２のホール素子を、前記２つの第２の電動アクチュエータの２つのマグネットにそれぞれ対応させて配置したことを特徴とする請求項４記載の像ぶれ補正装置。
【請求項６】
レンズ系が収納された筒体と、
前記レンズ系の像ぶれを補正するための補正レンズを有する像ぶれ補正装置と、を備えたレンズ鏡筒であって、
前記像ぶれ補正装置は、
前記補正レンズを保持する移動枠と、
前記移動枠に接触する球面部を有する少なくとも３つの球面ガイドを介して前記移動枠を移動可能に支持する支持枠と、
相対的に移動可能とされたコイルとマグネットを有し、前記移動枠をレンズ系の光軸と直交する第１の方向及び当該第１の方向と直交する方向であって前記光軸とも直交する第２の方向に移動させる電動アクチュエータと、
前記補正レンズを中心として対称をなす位置に配置され、前記補正レンズの前記第１の方向に関する位置情報を前記マグネットの磁力により検出してその検出信号を出力する２つの第１のホール素子と、
前記補正レンズを中心として対称をなす位置に配置され、前記補正レンズの前記第２の方向に関する位置情報を前記マグネットの磁力により検出してその検出信号を出力する２つの第２のホール素子と、を備えたことを特徴とするレンズ鏡筒。
【請求項７】
レンズ系が収納された筒体と、前記レンズ系の光軸と直交する方向に補正レンズを移動させて前記レンズ系の像ぶれを補正する像ぶれ補正装置と、を有するレンズ鏡筒を備えた撮像装置であって、
前記像ぶれ補正装置は、
前記補正レンズを保持する移動枠と、
前記移動枠に接触する球面部を有する少なくとも３つの球面ガイドを介して前記移動枠を移動可能に支持する支持枠と、
相対的に移動可能とされたコイルとマグネットを有し、前記移動枠をレンズ系の光軸と直交する第１の方向及び当該第１の方向と直交する方向であって前記光軸とも直交する第２の方向に移動させる電動アクチュエータと、
前記補正レンズを中心として対称をなす位置に配置され、前記補正レンズの前記第１の方向に関する位置情報を前記マグネットの磁力により検出してその検出信号を出力する２つの第１のホール素子と、
前記補正レンズを中心として対称をなす位置に配置され、前記補正レンズの前記第２の方向に関する位置情報を前記マグネットの磁力により検出してその検出信号を出力する２つの第２のホール素子と、を備えたことを特徴とする撮像装置。
【請求項８】
移動枠と、
前記移動枠を移動可能に支持する支持枠とを備え、
前記移動枠をレンズ系の光軸と直交する第１の方向及び当該第１の方向と直交する方向であって前記光軸とも直交する第２の方向に移動することで像ぶれを補正する像ぶれ補正装置において、
前記支持枠は、前記移動枠に接触する球面部を有する少なくとも３つの球面ガイドを介して前記移動枠を移動可能に支持するとともに、
相対的に移動可能とされたコイルとマグネットを有し、前記移動枠を前記第１の方向及び前記第２の方向に移動させる電動アクチュエータと、
前記移動枠の中心から対称をなす位置に配置され、前記移動枠の前記第１の方向に関する位置情報を前記マグネットの磁力により検出してその検出信号を出力する２つの第１のホール素子と、
前記移動枠の中心から対称をなす位置に配置され、前記移動枠の前記第２の方向に関する位置情報を前記マグネットの磁力により検出してその検出信号を出力する２つの第２のホール素子と、
を設けたことを特徴とする像ぶれ補正装置。
【手続補正２】
【補正対象書類名】明細書
【補正対象項目名】００２０
【補正方法】変更
【補正の内容】
【００２０】
本発明の像ぶれ補正装置は、移動枠と、支持枠と、電動アクチュエータと、２つの第１のホール素子と、２つの第２のホール素子と、を備えている。移動枠は、補正レンズを保持し、支持枠は、少なくとも３つの球面ガイドを介して移動枠を移動可能に支持する。電動アクチュエータは、相対的に移動可能とされたコイルとマグネットを有し、移動枠をレンズ系の光軸と直交する第１の方向及びその第１の方向と直交する方向であって光軸とも直交する第２の方向に移動させる。２つの第１のホール素子は、補正レンズの第１の方向に関する位置情報をマグネットの磁力により検出してその検出信号を出力し、２つの第２のホール素子は、補正レンズの第２の方向に関する位置情報をマグネットの磁力により検出してその検出信号を出力する。これら２つの第１のホール素子と２つの第２のホール素子は、それぞれ補正レンズを中心として対称をなす位置に配置することを最も主要な特徴とする。
また、本発明のもう１つの像ぶれ補正装置は、移動枠と、移動枠を移動可能に支持する支持枠とを備え、移動枠をレンズ系の光軸と直交する第１の方向及びこの第１の方向と直交する方向であって光軸とも直交する第２の方向に移動することで像ぶれを補正する。支持枠は、移動枠に接触する球面部を有する少なくとも３つの球面ガイドを介して移動枠を移動可能に支持する。また、像ぶれ補正装置は、電動アクチュエータと、２つの第１のホール素子と、２つの第２のホール素子を備えている。電動アクチュエータは、相対的に移動可能とされたコイルとマグネットを有し、移動枠を第１の方向及び前記第２の方向に移動させる。２つの第１のホール素子は、移動枠の第１の方向に関する位置情報をマグネットの磁力により検出してその検出信号を出力する。２つの第２のホール素子は、移動枠の第２の方向に関する位置情報をマグネットの磁力により検出してその検出信号を出力する。そして、２つの第１のホール素子と２つの第２のホール素子は、それぞれ移動枠の中心から対称をなす位置に配置することを特徴とする。
【手続補正３】
【補正対象書類名】明細書
【補正対象項目名】００８１
【補正方法】変更
【補正の内容】
【００８１】
また、第２のホール素子４２Ａ，４２Ｂは、それぞれ第２のコイル２８Ａ，２８Ｂの巻回部の空隙内に配置され、フレキシブル配線板２９の第２のコイル搭載部２９ｃ，２９ｄに搭載されている。これら第２のホール素子４２Ａ，４２Ｂも第１のホール素子４１Ａ，４１Ｂと同様に、補正レンズ２の中心Ｓを中心として対称な位置に配置されており、各中心部が第２のマグネット２２Ａ，２２ＢのＮ極とＳ極の極境に設定されている。